(57)【要約】【課題】無線ネットワークシステムにおいて、無線端末は最も電解強度の大きい無線アクセスポイントに接続する。しかしながら１つの無線アクセスポイントに無線端末が集中して接続される場合があり、無線の帯域を有効に使用できない。【解決手段】無線端末は各無線アクセスポイントから転送速度と無線端末の接続台数を受信することによって、最もトラフィックの少ない無線アクセスポイントを自動的に選択する。この方法により各無線アクセスポイントに、均等に無線端末が接続され、無線帯域を有効に使用できる。【選択図】　図３
2004048152.tif 000002
【特許請求の範囲】
【請求項１】
無線端末と複数の無線アクセスポイントを有する無線ネットワークシステムであって、
前記無線端末は前記複数の無線アクセスポイントに転送速度を測定するためのパターンデータを送信し、
前記複数の無線アクセスポイントは前記無線端末が送信したパターンデータを受信して転送速度を測定し、測定した前記転送速度と自無線アクセスポイントが接続している無線端末数とにもとづく無線トラフィック情報を前記無線端末に送信し、
前記無線端末は前記複数の無線アクセスポイントが送信した前記無線トラフィック情報にもとづいて接続する無線アクセスポイントを決定することを特徴とする無線ネットワークシステム。
【請求項２】
複数の無線アクセスポイントに転送速度を測定するためのパターンデータを送信するパターンデータ送信手段と、
前記複数の無線アクセスポイントから前記パターンデータの転送速度と自無線アクセスポイントが接続している無線端末数とにもとづく無線トラフィック情報を受信する無線トラフィック情報受信手段と、
前記無線トラフィック情報受信手段が受信した無線トラフィック情報にもとづく無線トラフィック情報テーブルを作成する無線トラフィック情報テーブル作成手段と
前記無線トラフィック情報テーブルを使用者に表示する表示手段と、
使用者が接続する無線アクセスポイントを指示入力しその指示入力にもとづいて指示情報を出力する無線アクセスポイント指示手段と
前記無線アクセスポイント指示手段が出力する指示情報にもとづいて無線アクセスポイントを決定する無線アクセスポイント決定手段とを有することを特徴とする無線端末。
【請求項３】
複数の無線アクセスポイントに転送速度を測定するためのパターンデータを送信するパターンデータ送信手段と、
前記複数の無線アクセスポイントから前記パターンデータの転送速度と自無線アクセスポイントが接続している無線端末数とにもとづく無線トラフィック情報を受信する無線トラフィック情報受信手段と、
接続条件情報を出力する接続条件指示手段と、
前記無線トラフィック情報受信手段が受信した無線トラフィック情報と前記接続条件指示手段が出力する接続条件情報にもとづいて無線アクセスポイントを決定する無線アクセスポイント決定手段とを有することを特徴とする無線端末。
【請求項４】
前記接続情報指示手段は使用者が入力した接続条件にもとづいて接続条件情報を出力することを特徴とする請求項３記載の無線端末。
【請求項５】
無線端末からパターンデータを受信して転送速度を測定するパターンデータ受信測定手段と、
接続中の無線端末数を出力する無線端末接続台数検出手段と、
前記パターンデータ受信測定手段が測定した転送速度と前記無線端末接続台数検出手段が出力した無線端末数にもとづく無線トラフィック情報を作成する無線トラフィック情報作成手段と、
前記無線トラフィック情報作成手段が作成した無線トラフィック情報を前記無線端末に送信する無線トラフィック情報送信手段とを有することを特徴とする無線アクセスポイント。
【発明の詳細な説明】
【０００１】
【発明の属する技術分野】
本発明は、無線ネットワークシステム、無線端末、および無線アクセスポイントに関する。
【０００２】
【従来の技術】
従来、無線ネットワークにおいて無線端末が接続先の無線アクセスポイントを決定する際には、特開２０００−１０１５９６号公報に記載された、無線アクセスポイントとの電界強度と転送エラー率を測定して、接続するアクセスポイントを決定する手法が知られている。
【０００３】
【発明が解決しようとする課題】
しかしながら、上記の電界強度やエラー率で接続先の無線アクセスポイントを判断する方法は、電界強度が高い無線アクセスポイントに無線端末が集中してしまい、特定の無線アクセスポイントのみのトラフィックが増加し、結果として無線ネットワーク全体の帯域を有効に使用することができない。
【０００４】
【課題を解決するための手段】
この課題を解決するために第１の発明（請求項１に対応）は、無線端末と複数の無線アクセスポイントを有する無線ネットワークシステムであって、前記無線端末は前記複数の無線アクセスポイントに転送速度を測定するためのパターンデータを送信し、前記複数の無線アクセスポイントは前記無線端末が送信したパターンデータを受信して転送速度を測定し、測定した前記転送速度と自無線アクセスポイントが接続している無線端末数とにもとづく無線トラフィック情報を前記無線端末に送信し、前記無線端末は前記複数の無線アクセスポイントが送信した前記無線トラフィック情報にもとづいて接続する無線アクセスポイントを決定することを特徴とする無線ネットワークシステムである。
【０００５】
本構成によって、各無線端末は、各アクセスポイントに自動的に振り分けられて接続され、無線ネットワーク全体の帯域を有効に使うことができる。
【０００６】
また、第２の発明（請求項２に対応）は、複数の無線アクセスポイントに転送速度を測定するためのパターンデータを送信するパターンデータ送信手段と、前記複数の無線アクセスポイントから前記パターンデータの転送速度と自無線アクセスポイントが接続している無線端末数とにもとづく無線トラフィック情報を受信する無線トラフィック情報受信手段と、前記無線トラフィック情報受信手段が受信した無線トラフィック情報にもとづく無線トラフィック情報テーブルを作成する無線トラフィック情報テーブル作成手段と前記無線トラフィック情報テーブルを使用者に表示する表示手段と、使用者が接続する無線アクセスポイントを指示入力しその指示入力にもとづいて指示情報を出力する無線アクセスポイント指示手段と前記無線アクセスポイント指示手段が出力する指示情報にもとづいて無線アクセスポイントを決定する無線アクセスポイント決定手段とを有することを特徴とする無線端末である。
【０００７】
本構成によって、使用者が無線トラフィック情報を確認して無線アクセスポイントを決定することが出来る。
【０００８】
また、第３の発明（請求項３に対応）は、複数の無線アクセスポイントに転送速度を測定するためのパターンデータを送信するパターンデータ送信手段と、前記複数の無線アクセスポイントから前記パターンデータの転送速度と自無線アクセスポイントが接続している無線端末数とにもとづく無線トラフィック情報を受信する無線トラフィック情報受信手段と、接続条件情報を出力する接続条件指示手段と、前記無線トラフィック情報受信手段が受信した無線トラフィック情報と前記接続条件指示手段が出力する接続条件情報にもとづいて無線アクセスポイントを決定する無線アクセスポイント決定手段とを有することを特徴とする無線端末である。
【０００９】
本構成によって、無線端末は自動的に無線トラフィックの条件にあった無線アクセスポイントに接続することが出来る。
【００１０】
また、第４の発明は（請求項４に対応）、第３の発明において前記接続情報指示手段は使用者が入力した接続条件にもとづいて接続条件情報を出力することを特徴とする無線端末である。
【００１１】
本構成によって、使用者のニーズに応じて無線アクセスポイントを選ぶことが出来る。
【００１２】
また、第５の発明（請求項５に対応）は、無線端末からパターンデータを受信して転送速度を測定するパターンデータ受信測定手段と、接続中の無線端末数を出力する無線端末接続台数検出手段と、前記パターンデータ受信測定手段が測定した転送速度と前記無線端末接続台数検出手段が出力した無線端末数にもとづく無線トラフィック情報を作成する無線トラフィック情報作成手段と、前記無線トラフィック情報作成手段が作成した無線トラフィック情報を前記無線端末に送信する無線トラフィック情報送信手段とを有することを特徴とする無線アクセスポイントである。
【００１３】
本構成によって、無線端末に対して無線アクセスポイントを決定するための有効な情報を送信することができる。
【００１４】
【発明の実施の形態】
以下、本発明の実施の形態について、図１から図７を用いて説明する。
【００１５】
（実施の形態１）
図１は本発明の実施の形態１の無線ネットワークシステムである。１１〜１３は無線アクセスポイント、１０１〜１０９は無線端末である。いま、無線端末１０２〜１０９が図１のように無線アクセスポイント１１〜１３に接続されており、新たに無線端末１０１を接続する場合を考える。従来の方法では、無線端末１０１は電界強度が最も大きい無線アクセスポイントに接続される。したがって例えば図１のような位置関係の場合は、通常一番距離的に近いアクセスポイント１３に接続される。しかしながら、アクセスポイント１３には既に４台の無線端末が接続されているため、アクセスポイント１３の使用している無線チャンネルのトラフィックが大きくなり、良好なスループットを得ることができない。
【００１６】
これを解決するための無線端末の構成を図２に、無線アクセスポイントの構成を図３に示す。最初に無線端末は、パターンデータ送信部２２でパターンデータを作成し、無線インターフェイス２１を介して各無線アクセスポイントに送信する。パターンデータは例えば数ＫＢから数ＭＢのサイズのデータで無線端末側がランダムに生成する。
【００１７】
各無線アクセスポイントはこのパターンデータをパターンデータ受信部３３で受信し、その転送速度を測定する。その一方で無線端末接続台数検出部３４は、自無線アクセスポイントに現在接続されている他の無線端末の数を計測する。以上の処理後、無線トラフィック情報送信部３２は、転送速度と無線端末の接続台数を無線トラフィック情報として無線インターフェイス３１を介して無線端末に送信する。
【００１８】
無線端末は、この無線アクセスポイントから送信されてきた無線トラフィック情報を無線インターフェイス２１を介して、無線トラフィック情報受信部２３で受信する。受信した無線トラフィック情報は、無線トラフィック情報テーブル作成部２４へと送られ、各無線アクセスポイントのトラフィック状態のテーブルが作成される。
【００１９】
図４に図１の状態での無線トラフィック情報テーブルを示す。このテーブルを接続設定ユーザインターフェイス２６に表示させることによりユーザは現在の各無線アクセスポイントの状態を知ることができる。
【００２０】
そしてユーザは接続設定ユーザインターフェイス２６を介して、自動接続条件設定部２５で、無線アクセスポイントに自動的に接続する時の条件を設定することができる。図５にその条件を示す。例として接続条件１が選択されていた場合には、図４の中で接続条件１と合致するアクセスポイント１１が選択される。
【００２１】
また接続条件には優先度があり、例えば複数の無線アクセスポイント間の転送速度がほとんど変わらない場合には、接続台数で判断する、との条件設定も可能となる。
【００２２】
以上の処理によって、無線端末は最もスループットの良好な無線アクセスポイントを自動的に選択することができ、各無線アクセスポイントに均等に割り振られることによって無線ネットワークの帯域を有効に使用することができる。
【００２３】
（実施の形態２）
また図６は無線端末１０１が、既に無線アクセスポイント１１に接続された状態から、無線端末１０３、１０４が無線アクセスポイント１２の接続を解除した状態を示している。この時無線アクセスポイント１２には無線端末１０５の１台しか接続していないため、スループットが良好な状態になっている。
【００２４】
各無線端末は、ある一定間隔でパターンデータを無線アクセスポイント１１〜１３に送信しており、常に各無線アクセスポイントの転送速度と接続台数を監視している。よって図６のように無線アクセスポイント１２の接続台数が少なくなり、スループットが良好な状態になった無線アクセスポイントに各無線端末は接続を行い、結果として図７に示すように各無線アクセスポイントに各無線端末が振り分けられる形となり、無線帯域を有効に使うことができる。
【００２５】
【発明の効果】
本発明により、複数の無線端末と複数の無線アクセスポイントを含む無線ネットワークにおいて、無線端末がスループットの高い無線アクセスポイントに自動的に接続することにより、無線帯域を有効に使用することができる。
【図面の簡単な説明】
【図１】本発明の実施の形態１における無線ネットワークシステムを示す図
【図２】本発明の実施の形態における無線端末を示す図
【図３】本発明の実施の形態における無線アクセスポイントを示す図
【図４】無線トラフィック情報テーブルを示す図
【図５】接続条件テーブルを示す図
【図６】本発明の実施の形態２における無線ネットワークシステムのアクセスポイント変更前の状態を示す図
【図７】本発明の実施の形態２における無線ネットワークシステムのアクセスポイント変更後の状態を示す図
【符号の説明】
１１〜１３　無線アクセスポイント
１０１〜１０９　無線端末
２１　無線インターフェイス
２２　パターンデータ送信部
２３　無線トラフィック情報受信部
２４　無線トラフィック情報テーブル作成部
２５　自動接続条件設定部
２６　接続設定ユーザインターフェイス
３１　無線インターフェイス
３２　無線トラフィック情報送信部
３３　パターンデータ受信部
３４　無線端末接続台数検出部
【図１】
2004048152.tif 000003
【図２】
2004048152.tif 000004
【図３】
2004048152.tif 000005
【図４】
2004048152.tif 000006
【図５】
2004048152.tif 000007
【図６】
2004048152.tif 000008
【図７】
2004048152.tif 000009